(57)【要約】【課題】短縮された乾燥時間内での乾燥性能の確保、向上を図ることが可能な臨床検査装置を提供する。【解決手段】実施形態の臨床検査装置は、反応液の成分を分析した後に前記反応液が入った反応容器を洗浄し、さらに、前記反応容器を乾燥用ノズルにより乾燥させる。前記乾燥用ノズルは、棒状体と、中空部と、吸引機構と、通気用溝とを有する。棒状体は、四角柱を有し、前記四角柱の長手方向の両端に先端面と基端面とを有する。中空部は、前記四角柱の内部に設けられ、前記基端面側で外部に連通する。吸引機構は、前記四角柱が前記先端面を先にして前記反応容器に嵌合され、前記外部および前記中空部が陰圧になったとき、前記反応容器内の液体が前記四角柱の外側から前記中空部に吸引される。通気用溝は、前記先端面から前記基端面にわたる前記四角柱の各角部に設けられた略扇形断面を有する。【選択図】図４
2015132520.tif 000002
【特許請求の範囲】
【請求項１】
反応液の成分を分析した後に前記反応液が入った反応容器を洗浄し、さらに、前記反応容器を乾燥用ノズルにより乾燥させる臨床検査装置において、
前記乾燥用ノズルは、
四角柱を有し、前記四角柱の長手方向の両端に先端面と基端面とを有する棒状体と、
前記四角柱の内部に設けられ、前記基端面側で外部に連通する中空部と、
前記四角柱が前記先端面を先にして前記反応容器に嵌合され、前記外部および前記中空部が陰圧になったとき、前記反応容器内の液体が前記四角柱の外側から前記中空部に吸引される吸引案内機構と、
前記先端面から前記基端面にわたる前記四角柱の各角部に設けられた略扇形断面を有する通気用溝と、
を有する
ことを特徴とする臨床検査装置。
【請求項２】
前記略扇形断面は、略四分の一円における円弧を有することを特徴とする請求項１に記載の臨床検査装置。
【請求項３】
前記吸引案内機構は、前記先端面の中央部に穿設され、前記中空部に通じる吸引用穴を有することを特徴とする請求項１または２に記載の臨床検査装置。
【請求項４】
前記吸引案内機構は、前記先端面において、前記液体が吸引されるとき、液体を各前記角部から前記吸引用穴に案内する案内用溝を有することを特徴とする請求項３に記載の臨床検査装置。
【請求項５】
前記棒状体の材質は、フッ素樹脂を含む疎水性樹脂であることを特徴とする請求項１から４のいずれかに記載の臨床検査装置。
【請求項６】
前記吸引案内機構は、前記四角柱の壁部に前記四角柱の外側から前記中空部に通じる多数の細孔が配置され、前記液体が吸引されるとき、前記液体を前記四角柱の外側から前記中空部に導くための多孔体を前記棒状体が有することにより構成されることを特徴とする請求項１から４のいずれかに記載の臨床検査装置。
【請求項７】
前記吸引用穴は、前記中空部の径に対し１／３〜１／２倍の径を有することを特徴とする請求項６に記載の臨床検査装置。
【発明の詳細な説明】
【技術分野】
【０００１】
本発明の実施形態は、臨床検査装置に関する。
【背景技術】
【０００２】
臨床検査は、患者等の被検者の状態を客観的に評価するために行われる。この臨床検査には臨床検査装置が主に用いられる。臨床検査装置の一例としては、自動分析装置が挙げられる。
【０００３】
自動分析装置は、患者の血液や尿を含む被検試料と試薬とを反応容器に分注する。被検試料を単に「試料」という場合がある。試料と試薬とにより反応液を生成し、反応液の成分を分析する。分析後に、反応容器を洗剤や純水（これらを洗浄液という）で洗浄し、乾燥させる。乾燥後の反応容器は、次の分析に用いられる（例えば、特許文献１）。ここで、反応容器を洗浄し、乾燥させるユニットを「洗浄／乾燥ユニット」と称する。
【０００４】
反応容器は、その水平断面が四角形である収容空間を有する。反応容器の内面（内壁および底面）の洗浄では、反応容器に洗浄液が吐出され、続いて吸引され、さらに、吐出、吸引が繰り返される。反応容器の洗浄後、反応容器の内面における角部に微少量の洗浄液が残される。洗浄後に反応容器の内面に残された洗浄液を「残水」という場合がある。
【０００５】
洗浄／乾燥ユニットは、乾燥用ノズル、バキュームポンプ、および、チューブを有する。乾燥用ノズルは、その水平断面が四角形である外形を有する。また、乾燥用ノズルはその内部に中空部を有する。乾燥用ノズルが反応容器に嵌合されたとき、反応容器の内面における角部と乾燥用ノズルの外面における角部との両者間に隙間ができる。両者間の隙間を介して乾燥用ノズルの中空部が外気に連通される。また、乾燥用ノズルの中空部がチューブを介してバキュームポンプに連結される。
【０００６】
反応容器の乾燥において、反応容器に乾燥用ノズルが嵌合され、バキュームポンプにより中空部が外気に対して陰圧（負圧）にされるとき、外気が両者間の隙間を通って中空部に吸い込まれ、外気と一緒に残水が中空部に吸い込まれる。さらに、外気と残水とがチューブを通ってバキュームポンプに導かれる。
【０００７】
近年、臨床検査における高速化のため、乾燥時間が短縮され、その時間内での乾燥性能の確保、向上が要求されている。
【先行技術文献】
【特許文献】
【０００８】
【特許文献１】特開平６−１６０３９８号公報
【発明の概要】
【発明が解決しようとする課題】
【０００９】
しかし、従来の乾燥用ノズルでは、乾燥時間を短縮すると、乾燥性能を確保できず、反応容器内に洗浄液が残り、測定結果に影響を及ぼすという問題点があった。
【００１０】
この実施形態は、上記の問題を解決するものであり、短縮された乾燥時間内での乾燥性能の確保、向上を図ることが可能な臨床検査装置を提供することを目的とする。
【課題を解決するための手段】
【００１１】
上記課題を解決するために、実施形態の臨床検査装置は、反応液の成分を分析した後に前記反応液が入った反応容器を洗浄し、さらに、前記反応容器を乾燥用ノズルにより乾燥させる。前記乾燥用ノズルは、棒状体と、中空部と、吸引案内機構と、通気用溝とを有する。棒状体は、四角柱を有し、前記四角柱の長手方向の両端に先端面と基端面とを有する。中空部は、前記四角柱の内部に設けられ、前記基端面側で外部に連通する。吸引案内機構は、前記四角柱が前記先端面を先にして前記反応容器に嵌合され、前記外部および前記中空部が陰圧になったとき、前記反応容器内の液体が前記四角柱の外側から前記中空部に吸引される。通気用溝は、前記先端面から前記基端面にわたる前記四角柱の各角部に設けられた略扇形断面を有する。
【図面の簡単な説明】
【００１２】
【図１】第１実施形態に係る洗浄／乾燥ユニットを概念的に示す正面図。
【図２】洗浄／乾燥ユニットの部分斜視図。
【図３】乾燥用ノズルの斜視図。
【図４】乾燥用ノズルの平面図。
【図５】乾燥用ノズルの正面図。
【図６】図５のＡ−Ａ線断面図。
【図７】図９の部分拡大図。
【図８】乾燥用ノズルの底面図。
【図９】図８のＢ矢視図。
【図１０】乾燥用ノズルの部分斜視図。
【図１１】自動分析装置の全体斜視図。
【図１２】第２実施形態に係る乾燥用ノズルの平面図。
【図１３】図１２のＣ−Ｃ断面図。
【図１４】乾燥用ノズルの底面図。
【図１５】図１４のＤ矢視図。
【図１６】洗浄／ユニットの部分斜視図。
【発明を実施するための形態】
【００１３】
前述したように、反応容器は、その水平断面が四角形である収容空間を有する。反応容器の洗浄後に反応容器の内面における角部に微少量の洗浄液（残水）が残される。
【００１４】
反応容器の乾燥において、反応容器に乾燥用ノズルが嵌め込まれるとき、反応容器の収容空間の角部と乾燥用ノズルの外面における角部との両者間の隙間が広いと、反応容器に乾燥用ノズルを入れ易くなる。しかし、広い隙間を通って過剰な外気が乾燥用ノズルの中空部に供給されるため、通気性が高すぎて、短縮された時間内で乾燥用ノズルの中空部が十分な陰圧にならず、残水が十分に吸引されない。
【００１５】
しかし、単に、両者間の隙間を狭くすると、空気や残水が乾燥用ノズルの中空部に吸い込まれるときの抵抗が過大となるため、通気性が低くなって、残水が十分に吸引されない。すなわち、短縮された時間内で残水を吸引するためには、適切な通気性が確保されることが要求される。
【００１６】
適切な通気性が確保されることにより、短縮された時間内での乾燥性能の確保、向上ができ、臨床検査における高速化が図れる。
【００１７】
なお、この実施形態の臨床検査装置の一例として、自動分析装置について各図を参照して説明する。また、乾燥用ノズルには疎水性を有するものと、親水性を有するものとがある。以下、先ず、疎水性のある乾燥用ノズルについて説明し、次に、親水性のある乾燥用ノズルについて説明する。
【００１８】
＜第１実施形態＞
次に、第１実施形態に係る自動分析装置について図１〜図３を参照して説明する。
図１は、洗浄／乾燥ユニットを概念的に示す正面図、図２は洗浄／乾燥ユニットの部分斜視図、図３は乾燥用ノズルの斜視図である。
【００１９】
図１から図３に示すように、洗浄／乾燥ユニット１３は、乾燥用ノズル２０、吸引ノズル３１、バキュームポンプ３２、および、チューブ３３を有する。
乾燥用ノズル２０は、棒状体２１、中空部２２、吸引案内機構２３、および、通気用溝２４を有する。
【００２０】
（棒状体２１）
棒状体２１の材料には、疎水性を有するフッ素樹脂（ＰＴＦＥ）が用いられる。これに限らず、棒状体２１の材料としては、耐薬品性、耐水性、および、耐摩耗性を有する材料であればよい。
【００２１】
図４は、乾燥用ノズルの平面図、図５は乾燥用ノズルの正面図、図６は図５のＡ−Ａ線断面図、図７は図９の部分拡大図、図８は乾燥用ノズルの底面図、図９は図８のＢ矢視図である。
【００２２】
図３〜図６に示すように、棒状体２１は四角柱２１１を有する。四角柱２１１は、約２０ｍｍの長さ、および、約３．６ｍｍ×約４．６ｍｍの四角形の水平断面を有する。四角柱２１１は、４つの壁面２１２および４つの角部２１３を有する。ちなみに、反応容器５１（図１参照）は、約４．０ｍｍ×約５．０ｍｍの水平断面を有する。反応容器５１に棒状体２１が嵌合されたとき、反応容器５１の内壁と棒状体２１の壁面２１２との間の隙間は、約０．２ｍｍとなる。四角柱２１１の長手方向の両端には先端面２１４および基端面２１５が設けられる。四角形を有する先端面２１４において、その４つの周辺部２１４１は、切り落とし幅約０．２ｍｍで、切り落とし高さ約１．０ｍｍのテーパーが設けられる。
【００２３】
（中空部２２）
図６に示すように、四角柱２１１の内部には中空部２２が設けられる。中空部２２は約２．０ｍｍの径を有する。中空部２２は基端面２１５側で外部に連通する。図１および図２に示すように、外部にはバキュームポンプ３２が連結される。中空部２２には吸引ノズル３１の一端部が嵌合される。吸引ノズル３１は、約２．０ｍｍの外径、および、約１．５ｍｍの内径を有する。なお、棒状体２１と吸引ノズル３１とが一体的に形成されてもよい。以下、中空部２２に嵌合された吸引ノズル３１の一端部を「中空部」という場合がある。
【００２４】
図１および図２に示すように、吸引ノズル３１の他端部が、チューブ３３を介してバキュームポンプ３２に連結される。バキュームポンプ３２により、中空部２２の空気が吸引されるとき、中空部２２が外気に対して陰圧となる。吸引ノズル３１の他端部にチューブ３３を介して連結されるものは、バキュームポンプ３２に限定されず、例えば、中空部２２に陰圧を供給する負圧供給装置であればよい。
【００２５】
（吸引案内機構２３）
図４、図５、図６、図７および図８に示すように、中空部２２に空気（残水を含む）が吸引されるための吸引案内機構２３が設けられる。吸引案内機構２３は、先端面２１４の中央部に穿設され、中空部２２に通じる吸引用穴２３１を有する。吸引用穴２３１は、約１．５ｍｍの径を有する。
吸引用穴２３１の径と吸引ノズル３１の内径とをほぼ等しくすることで、中空部２２に嵌合された吸引ノズル３１と吸引用穴２３１とが滑らかに連なる。
【００２６】
図７、図８、図９、および、図１０に示すように、先端面２１４には案内用溝２３２が設けられる。案内用溝２３２は、先端面２１４の中央部に設けられた吸引用穴２３１から先端面２１４における角部２１３に放射状に設けられる。案内用溝２３２はＶ字状断面を有する。Ｖ字状断面は、約０．５ｍｍの溝口幅を有し、約０．５ｍｍの深さを有する。すなわち、Ｖ字状断面は、約０．１２５（＝０．５×０．５×０．５）ｍｍ２の所定の面積を有する。なお、案内用溝２３２は、ほぼ所定の面積を有すれば、Ｖ字状断面に限らず、例えば、Ｕ字状断面でもよい。
【００２７】
(面取り部と通気用溝２４との対比)
両者間の隙間を広くすると、通気性が高すぎて、中空部２２が十分な陰圧にならず、残水を十分に吸引することができない。一方で、両者間の隙間を狭くすると、乾燥用ノズルが反応容器５１に嵌合されるとき、乾燥用ノズル２０が反応容器５１に干渉したりして、乾燥用ノズル２０を反応容器５１に嵌合させ難くなる。したがって、乾燥用ノズル２０の外面における角部２１３には、面取り部が設けられることが好ましい。
【００２８】
しかし、単なる面取り部では、両者間の隙間が依然として狭く、適切な通気性を確保できない。乾燥用ノズル２０の外面における角部２１３には、通気性を面取り部より向上させた通気用溝２４が設けられる。
【００２９】
（通気用溝２４）
図４、図５、図８および図１０に示すように、先端面２１４から基端面２１５にわたる各角部２１３には通気用溝２４が設けられる。通気用溝２４は、略扇形断面を有する。略扇形断面の外周は、略四分の一円における円弧２４１を有する。円弧２４１は、約０．５ｍｍの半径を有する。これに限らず、円弧２４１の半径は、反応容器５１の内壁と棒状体２１の壁面２１２との間の隙間（前述する一例では、約０．２ｍｍ）に対し、２〜３倍（０．４〜０．６ｍｍ）であることが好ましい。
【００３０】
なお、略扇形断面の外周は、円弧２４１に限らない。円弧２４１上に設けられる点であって、円弧２４１の両端の位置する点Ａ、Ｂを含む３以上の点において、隣接する点同士を結ぶ線により構成される周縁２４２であればよい（図８参照）。例えば、周縁２４２は、円弧２４１上に３点が設けられるとき、Ｖ字状の周縁となる。さらに、円弧２４１に４以上の点が設けられるとき、多角を有する周縁となる。さらに、周縁２４２は、円弧２４１上に設けられる点が多くなるとき、円弧２４１に近い形状となる。
【００３１】
次に、自動分析装置の他の構成について図１１を参照して簡単に説明する。図１１は、自動分析装置１００の内部を示す斜視図である。
【００３２】
図１１に示す自動分析装置１００は、試薬ラック１、第１試薬庫２、第２試薬庫３、試薬容器４、反応庫５、ラックサンプラ６、試料分注プローブ７、第１試薬分注プローブ８、第２試薬分注プローブ９、攪拌ユニット１１、及び、測光ユニット１２を有する。
【００３３】
（試料容器６１）
ラックサンプラ６は、複数のラックを一列に並べて収納し、各ラックを所定の位置に搬送可能に構成される。ラックには、複数の試料容器６１が収容される。試料容器６１には被検試料が収納される。
【００３４】
（試薬容器４）
第１試薬庫２及び第２試薬庫３には、回動可能な円形状の試薬ラック１が収納されている。各試薬容器４は、この試薬ラック１に環状に並んで収納されている。第１試薬が収容された試薬容器４は第１試薬庫２に載置され、第２試薬が収納された試薬容器４は第２試薬庫３に載置される。第１試薬および第２試薬が被検試料の測定項目に応じて選択される。
【００３５】
（反応容器５１）
反応庫５は、回動可能な円形状のカセット部材（図示省略）を有する。カセット部材には反応容器５１が載置される。カセット部材が回動されることにより、反応容器５１が分注位置、攪拌位置、測定位置、及び、洗浄／乾燥位置に搬送される。
【００３６】
次に、試料／試薬の分注、攪拌、反応液の測定、および、反応容器５１の洗浄／乾燥の各動作について説明する。
【００３７】
（分注）
試料分注プローブ７は、ラックサンプラ６によって所定の位置に搬送された試料容器６１から被検試料を吸引し、規定の吐出位置に搬送された反応容器５１に被検試料を吐出する。
【００３８】
第１試薬分注プローブ８は、第１試薬庫２の試薬ラック１の回動によって規定の吸引位置に搬送された試薬容器４から第１試薬を吸引し、規定の吐出位置に搬送された反応容器５１に第１試薬を吐出する。
【００３９】
第２試薬分注プローブ９は、第２試薬庫３の試薬ラック１の回動によって規定の吸引位置に搬送された試薬容器４から第２試薬を吸引し、規定の吐出位置に搬送された反応容器５１に第２試薬を吐出する。
【００４０】
（攪拌）
攪拌ユニット１１は、１サイクル毎に、攪拌位置に停止した反応容器５１内における被検試料及び試薬（第１試薬、第２試薬）の反応液を攪拌する。
【００４１】
（測定）
測光ユニット１２は、反応液を測光位置から測定する。測光ユニット１２は、反応液の吸光度を測定した後、その測定結果データをデータ処理部（図示しない）に出力する。データ処理部は、吸光度から検量線に基づいて反応液の濃度を求める。それにより、反応液の成分を測定することが可能となる。
【００４２】
（洗浄、乾燥）
洗浄／乾燥ユニット１３は、洗浄・乾燥位置に停止した反応容器５１内の測定を終えた反応液を吸引すると共に、反応容器５１内を洗浄・乾燥する。
【００４３】
反応容器５１の洗浄では、反応容器５１にノズル（図示しない）が入れられ、ノズルを通して、反応容器５１内に洗浄液（洗剤、純水）が吐出され、続いて吸引される。洗浄液の吐出、吸引は、複数回繰り返される。反応容器５１に吐出された洗浄液は、完全には吸引されないため、反応容器５１の内面における角部に微少量の洗浄水が残る。
【００４４】
反応容器５１の乾燥では、乾燥用ノズル２０が下降し、反応容器５１に嵌合される。その後、短時間で、乾燥用ノズル２０が上昇し、反応容器５１から脱出される。
【００４５】
乾燥用ノズル２０が反応容器５１に嵌合されたとき、反応容器５１の内面における角部と乾燥用ノズル２０の外面における角部２１３との両者間の隙間に、残水が存在する。しかし、乾燥用ノズル２０の角部２１３に設けられた通気用溝２４が残水で塞がれることがないため、適切な通気性が確保される。
【００４６】
バキュームポンプ３２により、乾燥用ノズル２０の中空部２２が陰圧にされたとき、基端面２１５側から外気が通気用溝２４を通って、先端面２１４における角部２１３に向かって吸引される。このとき、外気と一緒に残水も吸引される。外気と残水は、案内用溝２３２を通って、吸引用穴２３１に導かれ、さらに、吸引用穴２３１から中空部２２（吸引ノズル３１の一端部）を経て、バキュームポンプ３２に吸引される。案内用溝２３２が先端面２１４の角部２１３から吸引用穴２３１に延ばされるように設けられるため、外気と残水とがスムーズに吸引用穴２３１に案内され、短時間で、乾燥用ノズル２０（中空部２２）に吸引される。それにより、短縮された時間内で、反応容器５１を乾燥することが可能となる。
【００４７】
以上に、第１実施形態に係る自動分析装置１００の構成および動作を簡単に説明した。
【００４８】
＜第２実施形態＞
次に、第２実施形態に係る乾燥用ノズル２０について、図１および図１２から図１６を参照して説明する。
【００４９】
第２実施形態において、第１実施形態と同様の構成については、同一番号を付してその説明を省略し、異なる構成について主に説明する。
乾燥用ノズル２０において、第１実施形態では疎水性を有するものが用いられたが、第２実施形態では親水性を有するものが用いられる。
【００５０】
乾燥用ノズル２０は、棒状体２１、中空部２２、吸引案内機構２３、および、通気用溝２４を有する。なお、図１２から図１６では、通気用溝２４を図示しない。
【００５１】
（多孔体）
図１２は、乾燥用ノズルの平面図、図１３は図１２のＣ−Ｃ断面図、図１４は乾燥用ノズルの底面図、図１５は図１４のＤ矢視図である。
図１２から図１５に示すように、乾燥用ノズル２０は、多孔体を有する。多孔体は、多孔質膜を用いて、中空部２２を有する棒状体２１の形状に形成したものである。多孔体は、四角柱２１１の壁部に設けられ、四角柱２１１の外側から中空部２２に通じる多数の細孔が配置される。それにより、四角柱２１１の外側から中空部２２に空気および残水が導かれる。
【００５２】
図１６は、洗浄／乾燥ユニットの部分斜視図である。図１６に示すように、中空部２２に吸引ノズル３１の一端部が嵌合される。なお、中空部２２に嵌合された吸引ノズル３１の一端部が「中空部」という場合がある。吸引ノズル３１の一端部の周壁には、複数の壁穴３１１が貫通される。複数の壁穴３１１は、周壁に沿って螺旋状に配置される。それにより、中空部２２（吸引ノズル３１の一端部）の周囲から均等に残水を中空部２２内に導くことが可能となる。
【００５３】
吸引ノズル３１の他端部がチューブ３３を介してバキュームポンプ３２に連結される（図１参照）。反応容器５１の乾燥において、バキュームポンプ３２により、中空部２２が陰圧にされるとき、反応容器５１の内面における角部に付着された残水が、四角柱２１１の外側から多孔体における細孔を通って中空部２２に吸引される。さらに、中空部２２からチューブ３３を経てバキュームポンプ３２に吸引される。
【００５４】
このように、反応容器５１の壁面における角部に付着された残水が多孔体における細孔を通って吸引されるため、乾燥用ノズル２０が多孔体を有する第２実施形態では、吸引用穴２３１や案内用溝２３２は必ずしも必要とされない。しかし、残水は、反応容器５１の底面における角部にも付着する。角部に付着された残水が、多孔体のみにより吸引されるだけでなく、吸引用穴２３１および案内用溝２３２によっても吸引されるように、吸引用穴２３１および案内用溝２３２が設けられる。
【００５５】
（吸引用穴２３１）
図１３および図１４に示すように、吸引用穴２３１は、中空部２２の径に対し１／３〜１／２倍の径を有する。例えば、中空部２２の径が約２．０ｍｍのとき、吸引用穴２３１の径は、約０．６ｍｍ〜約１．０ｍｍとなる。したがって、残水は、吸引用穴２３１および吸引ノズル３１の壁穴３１１を通って中空部２２に吸引される。吸引用穴２３１の径は、吸引ノズル３１の壁穴３１１の径に対応して設定される。
【００５６】
第２実施形態において、反応容器５１の乾燥では、乾燥用ノズル２０が下降し、反応容器５１に嵌合される。その後、短時間で、乾燥用ノズル２０が上昇し、反応容器５１から脱出される。
【００５７】
乾燥用ノズル２０が反応容器５１に嵌合されたとき、反応容器５１の内面における角部と乾燥用ノズル２０の角部２１３との両者間の隙間に、残水が存在する。しかし、乾燥用ノズル２０の角部２１３に設けられた通気用溝２４が残水で塞がれことがないため、適切な通気性が確保される。
【００５８】
バキュームポンプ３２により、乾燥用ノズル２０の中空部２２が陰圧にされたとき、基端面２１５側から外気が通気用溝２４を通って両者間の隙間に取り込まれ、多孔体における細孔を通って、さらに、壁穴３１１を通って、中空部２２（吸引ノズル３１の一端部）に吸引される。このとき、外気と一緒に残水も吸引される。
【００５９】
反応容器５１の底面における角部に付着された残水は、外気と共に案内用溝２３２を通って、吸引用穴２３１に導かれる。さらに、外気と残水は、吸引用穴２３１から中空部２２（吸引ノズル３１の一端部）を経て、バキュームポンプ３２に吸引される。
【００６０】
棒状体２１が多孔体を有するため、四角柱２１１の壁面２１２における角部２１３から短時間で、乾燥用ノズル２０（中空部２２）に吸引される。また、案内用溝２３２が先端面２１４の角部２１３から吸引用穴２３１に延ばされるように設けられるため、外気と残水とがスムーズに吸引用穴２３１に案内され、短時間で、乾燥用ノズル２０（中空部２２）に吸引される。それにより、短縮された時間内で、反応容器５１を乾燥することが可能となる。
【００６１】
上記実施形態において説明した構成は、自動分析装置以外の臨床検査装置にも適用することができる。
【００６２】
臨床検査装置としては、例えば、自動分析装置や血液ガス分析装置や電気泳動装置や液体クロマトグラフィー装置などの臨床化学分析機器、ラジオイムノアッセイ装置などの核医学機器、ラテックス凝集反応測定装置やネフェロメータなどの免疫血清検査機器、自動血球計数装置、血液凝固測定装置などの血液検査機器、微生物分類同定装置や血液培養検査装置やＤＮＡ・ＲＮＡ測定装置などの細菌検査機器、尿分析装置や便潜血測定装置などの尿検査機器、自動組織細胞染色装置などの病理検査機器、生理機能検査機器、マイクロピペットや洗浄装置分注装置や遠心分離装置などのその他の臨床検査機器等が挙げられる。
【００６３】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１００  自動分析装置
１  試薬ラック
２  第１試薬庫
３  第２試薬庫
４  試薬容器
５  反応庫
５１  反応容器
６  ラッククサンプラ
６１  試料容器
７  試料分注プローブ
８  第１試薬分注プローブ
９  第２試薬分注プローブ
１１  攪拌ユニット
１２  測光ユニット
１３  洗浄／乾燥ユニット
２０  乾燥用ノズル
２１  棒状体
２１１  四角柱
２１２  壁面
２１３  角部
２１４  先端面
２１４１  周辺部
２１５  基端面
２２  中空部
２３  吸引案内機構
２３１  吸引用穴
２３２  案内用溝
２４  通気用溝
２４１  円弧
３１  吸引ノズル
３１１  壁穴
３２  バキュームポンプ
３３  チューブ
【図１】
2015132520.tif 000003
【図２】
2015132520.tif 000004
【図３】
2015132520.tif 000005
【図４】
2015132520.tif 000006
【図５】
2015132520.tif 000007
【図６】
2015132520.tif 000008
【図７】
2015132520.tif 000009
【図８】
2015132520.tif 000010
【図９】
2015132520.tif 000011
【図１０】
2015132520.tif 000012
【図１１】
2015132520.tif 000013
【図１２】
2015132520.tif 000014
【図１３】
2015132520.tif 000015
【図１４】
2015132520.tif 000016
【図１５】
2015132520.tif 000017
【図１６】
2015132520.tif 000018